(57)【要約】【課題】  ヒータと吹出口の位置関係を適度な状態にすることができる技術を提供する。【解決手段】  前板と、ヒータと、前記ヒータによって加熱された空気を送風するファンと、前記ファンによって送風された空気を外部に吹き出すための吹出口を備えている暖房機であって、前記吹出口が前記ファンより前方かつ下方に配置されており、前記前板には、前記吹出口の上端部より上方でファンに向かって突出する突出部が形成されており、前記前板より後方かつ前記ファンの中心部より前方かつ前記吹出口の上端部より上方かつ前記突出部より下方に前記ヒータが配置されている、暖房機。【選択図】  図３
2018204911.tif 000002
【特許請求の範囲】
【請求項１】
前板と、
ヒータと、
前記ヒータによって加熱された空気を送風するファンと、
前記ファンによって送風された空気を外部に吹き出すための吹出口を備えている暖房機であって、
前記吹出口が前記ファンより前方かつ下方に配置されており、
前記前板には、前記吹出口の上端部より上方で前記ファンに向かって突出する突出部が形成されており、
前記前板より後方かつ前記ファンの中心部より前方かつ前記吹出口の上端部より上方かつ前記突出部より下方に前記ヒータが配置されている、暖房機。
【請求項２】
前記ヒータの下方に配置されており、前記ヒータの下側を覆うカバー部材を更に備えており、
前記カバー部材に複数の空気通過孔が形成されている、請求項１に記載の暖房機。
【請求項３】
前記カバー部材から下方に突出する壁部材を更に備えている、請求項２に記載の暖房機。
【請求項４】
前記ヒータより上方に配置されており、前記ヒータによって加熱される前の空気を加熱するバーナを更に備えている、請求項１から３のいずれか一項に記載の暖房機。
【発明の詳細な説明】
【技術分野】
【０００１】
本明細書で開示する技術は、暖房機に関する。
【背景技術】
【０００２】
特許文献１に開示されている暖房機は、前板と、ヒータと、ヒータによって加熱された空気を送風するファンと、ファンによって送風された空気を外部に吹き出すための吹出口を備えている。特許文献１の暖房機では、空気を吹き出すための吹出口がファンより前方に配置されている。また、前板には、吹出口の上端部より上方でファンに向かって突出する突出部が形成されている。また、ファンより上方にヒータが配置されている。
【先行技術文献】
【特許文献】
【０００３】
【特許文献１】実開昭５５−０１７１２４号公報
【発明の概要】
【発明が解決しようとする課題】
【０００４】
特許文献１の暖房機では、ファンより上方にヒータが配置されており、吹出口から離間した位置にヒータが配置されているので、吹出口から吹き出すための空気をヒータで効率的に加熱できないという問題があった。しかしながら、それとは逆にヒータの位置が吹出口に近過ぎると、例えば暖房機のユーザが誤って吹出口に物を入れたときに、その物がヒータに接触してしまうおそれがある。そこで本明細書では、ヒータと吹出口の位置関係を適度な状態にすることができる技術を提供する。
【課題を解決するための手段】
【０００５】
本明細書に開示する暖房機は、前板と、ヒータと、前記ヒータによって加熱された空気を送風するファンと、前記ファンによって送風された空気を外部に吹き出すための吹出口を備えている暖房機であって、前記吹出口が前記ファンより前方かつ下方に配置されており、前記前板には、前記吹出口の上端部より上方でファンに向かって突出する突出部が形成されており、前記前板より後方かつ前記ファンの中心部より前方かつ前記吹出口の上端部より上方かつ前記突出部より下方に前記ヒータが配置されている。
【０００６】
この構成によれば、ヒータがファンの中心部より前方に配置されているので、ヒータの位置が吹出口の近くになる。その一方で、ヒータが吹出口の上端部より上方に配置されているので、例えば暖房機のユーザが誤って吹出口に物を入れた場合でも、その物がヒータに接触してしまうことを抑制することができる。また、吹出口の上端部より上方でファンに向かって突出する突出部が形成されているので、ファンによって送風された空気が突出部より下方で渦を形成する。また、ヒータが突出部より下方に配置されているので、空気の渦が形成される部分にヒータが位置することになり、ヒータによって空気が加熱される。以上より、上記の構成によれば、ヒータと吹出口の位置関係を適度な状態にすることができる。
【０００７】
上記の暖房機が、前記ヒータの下方に配置されており前記ヒータの下側を覆うカバー部材を更に備えていることが好ましい。前記カバー部材に複数の空気通過孔が形成されていてもよい。
【０００８】
この構成によれば、カバー部材の存在によって、例えば暖房機のユーザが誤って吹出口に物を入れた場合でも、その物がヒータに接触してしまうことを防止することができる。また、カバー部材に形成されている複数の空気通過孔を介して、ヒータが配置されている位置に空気を送ることができる。
【０００９】
上記の暖房機が、前記カバー部材から下方に突出する壁部材を更に備えていてもよい。
【００１０】
この構成によれば、壁部材の存在によって、異物がカバー部材を回り込んでヒータに接触することを抑制できる。例えば、ティッシュペーパー等の異物が誤って吹出口に入ったときに、壁部材によって異物がカバー部材を回り込むことが制限されるので、異物がヒータに接触することを抑制できる。
【００１１】
上記の暖房機が、前記ヒータより上方に配置されており、前記ヒータによって加熱される前の空気を加熱するバーナを更に備えていてもよい。
【００１２】
この構成によれば、まずバーナによって空気を加熱し、その後にヒータによって空気を加熱するので、空気を短時間で暖めることができ、早期に温風を吹き出すことができる。
【図面の簡単な説明】
【００１３】
【図１】実施例に係る温風暖房機２の斜視図である。
【図２】図１のII−II線に沿った断面図である。
【図３】図２の破線III部の拡大図である。
【図４】実施例に係るカバー部材７１の下面図である。
【発明を実施するための形態】
【００１４】
図面を参照して実施例に係る温風暖房機２について説明する。図１に示すように、温風暖房機２は、天板１２と、外側前板１４と、後板１６と、左右の側板１８と、底板２０と、で構成される本体ケース１０を備えている。後板１６と左右の側板１８は、一体的に成形されている。天板１２には、操作パネル１２ａが設けられている。ユーザは、操作パネル１２ａを操作することによって、温風暖房機２の運転モード、設定温度などを設定することができる。また、本体ケース１０内には、温風暖房機２の動作を制御する制御装置１００が収容されている。
【００１５】
外側前板１４の下部には、加熱された空気を吹き出すための吹出口１７が設けられている。吹出口１７は、本体ケース１０の上下方向の中央部より下方に形成されている。吹出口１７を介して本体ケース１０の内部と外部が連通している。
【００１６】
図２に示すように、外側前板１４の後方には、内側前板１５が配置されている。内側前板１５は、吹出口１７の上端部１７ａより上方に配置されている。内側前板１５は、本体ケース１０の上下方向に沿って延びている。内側前板１５は、外側前板１４と並行するように配置されている。
【００１７】
内側前板１５には、突出部６１が形成されている。突出部６１は、内側前板１５の一部が屈曲することにより形成されている。突出部６１は、後方に向かって突出している。突出部６１は、吹出口１７の上端部１７ａより上方に形成されている。突出部６１は、後述する送風ファン２４に向かって突出している。突出部６１の後端部６１ａは、送風ファン２４より前方に位置している。
【００１８】
本体ケース１０の後板１６の上部には、本体ケース１０内に空気を取り入れる取入口１６ａが設けられている。取入口１６ａの後方には、本体ケース１０内への埃などの侵入を防止するフィルタユニット２２が着脱可能に取り付けられている。
【００１９】
本体ケース１０内には、燃焼部３０と、送風ファン２４と、第１の電気ヒータ２６と、第２の電気ヒータ２８と、が設けられている。以下では、第１の電気ヒータ２６及び第２の電気ヒータ２８を総称して、「電気ヒータ」と呼ぶ場合がある。燃焼部３０は、取入口１６ａの前方に設けられている。燃焼部３０には、バーナ３２が設けられている。バーナ３２は、燃料供給路（図示省略）に接続されており、燃料供給路から燃料ガスが供給されるように構成されている。バーナ３２が主熱源であり、電気ヒータが補助熱源である。バーナ３２は、電気ヒータより上方に配置されている。バーナ３２、送風ファン２４、及び、電気ヒータの動作は、制御装置１００によって制御される。
【００２０】
送風ファン２４は、燃焼部３０の下方に配置されている。送風ファン２４は、内側前板１５の突出部６１より後方に配置されている。図３に示すように、送風ファン２４は、吹出口１７の上端部１７ａより上方に配置されている。送風ファン２４の下端部２４ｄは、吹出口１７の上端部１７ａより上方に位置している。送風ファン２４の前端部２４ａは、突出部６１の後端部６１ａより後方に位置している。送風ファン２４の中心部２４ｃは、突出部６１の後端部６１ａより下方に位置している。送風ファン２４の上端部２４ｂは、突出部６１の後端部６１ａより上方に位置している。送風ファン２４は、第１の電気ヒータ２６と第２の電気ヒータ２８によって加熱された空気を吹出口１７に向けて送風する。送風ファン２４が回転すると空気が流れる。
【００２１】
次いで、本体ケース１０内に形成されている複数の空気通路４０、４２、４４、４６、４８、５０、５２、及び、本体ケース１０内を流れる空気の流れについて説明する。図２に示すように、空気通路４０、４２、４４、４６、４８は、燃焼部３０に形成されている空気通路である。送風ファン２４を動作させると、室内の空気が取入口１６ａを介して第１の空気通路４０、第２の空気通路４２、第３の空気通路４４及び第６の空気通路５０に取り込まれる。矢印Ｃに示すように、第３の空気通路４４に取り込まれた空気はバーナ３２に導かれる。この場合に、バーナ３２を点火すると、燃焼用一次空気吸込口（図示省略）から吸込まれる空気と矢印Ｃに示すように導かれた空気によって、燃料ガスが燃焼される。この燃焼によって生じた燃焼ガスは、矢印Ｅに示すように排出される。そして、矢印Ｂに示す第２の空気通路４２に取り込まれた空気と、矢印Ｅに示す燃焼ガスが、第４の空気通路４６で混合される。さらに、矢印Ａに示す第１の空気通路４０に取り込まれた空気と第４の空気通路４６で混合された空気が、第５の空気通路４８で混合される。第６の空気通路５０は、第３の空気通路４４の下方に形成されており、燃焼部３０を介することなく、送風ファン２４に連通している。第５の空気通路４８で混合された空気は、矢印Ｄに示す第６の空気通路５０に取り込まれた空気と混合され、送風ファン２４を介して、第７の空気通路５２に導入される。第７の空気通路５２は、送風ファン２４と吹出口１７を連通する空気通路である。矢印Ｇに示すように、第７の空気通路５２に導入される空気は、吹出口１７から吹き出される。なお、矢印Ｇは、第７の空気通路５２の中心経路であり、通過する空気量が一番多い経路である。
【００２２】
次いで、第１の電気ヒータ２６及び第２の電気ヒータ２８の配置について説明する。第１の電気ヒータ２６及び第２の電気ヒータ２８は、略Ｕ字状の形状をしており、各電気ヒータの直線部分は、図３の紙面奥側から紙面手前側に延びている。第１の電気ヒータ２６は、水平面に対して傾斜して配置されている。第２の電気ヒータ２８は、水平面に対して垂直に配置されている。
【００２３】
電気ヒータ（第１の電気ヒータ２６及び第２の電気ヒータ２８）は、内側前板１５より後方に配置されている。また、電気ヒータは、送風ファン２４の中心部２４ｃより前方に配置されている。第１の電気ヒータ２６は、内側前板１５の突出部６１の後端部６１ａより後方に配置されている。第２の電気ヒータ２８は、送風ファン２４の前端部２４ａより前方に配置されている。第２の電気ヒータ２８は、内側前板１５の突出部６１の後端部６１ａより前方に配置されている。
【００２４】
電気ヒータは、吹出口１７の上端部１７ａより上方に配置されている。電気ヒータは、内側前板１５の突出部６１より下方に配置されている。また、電気ヒータは、送風ファン２４の中心部２４ｃより下方に配置されている。電気ヒータは、送風ファン２４によって本体ケース１０内に吸引された空気を加熱する。矢印Ｇに示すように、送風ファン２４によって吹出口１７に送られた空気の一部が、矢印Ｈに示すように、上方に巻き上げられて、電気ヒータに接触する。電気ヒータが配置されている部分では、巻き上げられた空気の渦が形成される。巻き上げられた空気と電気ヒータが接触することによって、空気が加熱される。電気ヒータによって加熱された空気は、矢印Ｊに示すように、再び送風ファン２４によって送風され、矢印Ｇに示すように、吹出口１７に向けて流れてゆく。
【００２５】
電気ヒータの下方には、カバー部材７１が配置されている。カバー部材７１は、吹出口１７の上端部１７ａより上方に配置されている。カバー部材７１は、電気ヒータと吹出口１７の間に配置されている。カバー部材７１は、送風ファン２４の下端部２４ｄより下方に配置されている。このカバー部材７１は、電気ヒータの下側を覆っている。また、カバー部材７１は、図３の紙面奥側から紙面手前側に延びている。カバー部材７１は、電気ヒータの直線部分に沿って延びている。カバー部材７１と内側前板１５の間には隙間７３が形成されている。カバー部材７１の上方の電気ヒータが配置されている位置では、送風ファン２４によって送風された空気が本体ケース１０内を流れる過程で空気の渦が形成される。
【００２６】
カバー部材７１の後端部７１ａには、壁部材８１が固定されている。壁部材８１は、カバー部材７１から下方に突出している。壁部材８１は、図３の紙面奥側から紙面手前側に延びている。壁部材８１は、電気ヒータの直線部分に沿って延びている。壁部材８１は、送風ファン２４の前端部２４ａより後方に配置されている。壁部材８１は、送風ファン２４の中心部２４ｃより前方に配置されている。
【００２７】
図４に示すように、カバー部材７１には、複数の空気通過孔７５が形成されている。複数の空気通過孔７５は、壁部材８１に沿って並んで形成されている。空気通過孔７５を介してカバー部材７１より上方と下方が連通している。本体ケース１０内を流れる空気が空気通過孔７５を通過する。矢印Ｈに示すように、本体ケース１０内で上方に巻き上げられる空気が空気通過孔７５を通過する。各空気通過孔７５は、楕円状に形成されている。吹出口１７と送風ファン２４を結ぶ方向（図４の左右方向）における各空気通過孔７５の長さＬ１が、それと直交する水平方向（図４の上下方向）における各空気通過孔７５の長さＬ２より長い。すなわち、温風暖房機２の前後方向における各空気通過孔７５の長さＬ１が、温風暖房機２の左右方向における各空気通過孔７５の長さＬ２より長い。
【００２８】
上記の温風暖房機２では、送風ファン２４が動作すると、本体ケース１０外の空気（室内の空気）が本体ケース１０内に取り入れられる。本体ケース１０内に取り入れられた空気は、バーナ３２及び電気ヒータによって加熱される。加熱された空気は、送風ファン２４によって吹出口１７に送風され、吹出口１７から本体ケース１０外（室内）に吹き出される。
【００２９】
以上、実施例に係る温風暖房機２について説明した。上記の説明から明らかなように、上記の温風暖房機２では、吹出口１７が送風ファン２４より前方かつ下方に配置されている。また、内側前板１５には、吹出口１７の上端部１７ａより上方で送風ファン２４に向かって突出する突出部６１が形成されている。また、電気ヒータ（第１の電気ヒータ２６及び第２の電気ヒータ２８）が、内側前板１５より後方かつ送風ファン２４の中心部２４ｃより前方かつ吹出口１７の上端部１７ａより上方かつ突出部６１より下方に配置されている。
【００３０】
この構成によれば、電気ヒータが送風ファン２４の中心部２４ｃより前方に配置されているので、電気ヒータの位置が吹出口１７の近くになる。その一方で、電気ヒータが吹出口１７の上端部１７ａより上方に配置されているので、温風暖房機２のユーザが誤って吹出口１７に物を入れた場合でも、その物が電気ヒータに接触してしまうことを抑制することができる。また、上記の温風暖房機２では、吹出口１７の上端部１７ａより上方で送風ファン２４に向かって突出する突出部６１が形成されているので、送風ファン２４によって送風された空気が突出部６１に衝突することよって突出部６１より下方で空気の渦が形成される。また、電気ヒータが突出部６１より下方に配置されているので、空気の渦が形成される部分に電気ヒータが位置することになり、電気ヒータによって空気が加熱される。空気の渦の中に電気ヒータが位置することによって、電気ヒータと空気の熱交換が促進される。以上より、上記の構成によれば、電気ヒータと吹出口１７の位置関係を適度な状態にすることができる。
【００３１】
また、上記の温風暖房機２は、電気ヒータの下側を覆うカバー部材７１を備えており、カバー部材７１に複数の空気通過孔７５が形成されている。そのため、カバー部材７１によって電気ヒータが隠されるので、温風暖房機２のユーザが誤って吹出口１７に物を入れた場合でも、その物が電気ヒータに接触してしまうことを防止することができる。また、カバー部材７１の下方から複数の空気通過孔７５を介して電気ヒータが配置されている位置に空気が送られる。電気ヒータによって空気を加熱することができる。
【００３２】
また、上記の温風暖房機２は、カバー部材７１から下方に突出する壁部材８１を備えている。そのため、例えば、ティッシュペーパー等の異物が誤って吹出口１７に入ったときに、その異物がカバー部材７１を回り込んで電気ヒータ側に侵入することが壁部材８１によって制限される。したがって、異物が電気ヒータに接触することを抑制できる。
【００３３】
また、上記の温風暖房機２は、電気ヒータより上方に配置されており、電気ヒータによって加熱される前の空気を加熱するバーナ３２を備えている。そのため、まずバーナ３２によって空気を加熱し、その後に電気ヒータによって空気を加熱するので、空気を短時間で暖めることができ、早期に温風を吹き出すことができる。
【００３４】
また、上記の温風暖房機２では、カバー部材７１に複数の空気通過孔７５が形成されており、温風暖房機２の前後方向における各空気通過孔７５の長さＬ１が、温風暖房機２の左右方向における各空気通過孔７５の長さＬ２より長い。そのため、各空気通過孔７５を通過して電気ヒータに送られる空気の量を確保することができると共に、異物の侵入を抑制することができる。
【００３５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００３６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３７】
２      ：温風暖房機
１０    ：本体ケース
１２    ：天板
１４    ：外側前板
１５    ：内側前板
１６    ：後板
１７    ：吹出口
１８    ：側板
２０    ：底板
２４    ：送風ファン
２６    ：第１の電気ヒータ
２８    ：第２の電気ヒータ
３０    ：燃焼部
３２    ：バーナ
６１    ：突出部
７１    ：カバー部材
７５    ：空気通過孔
８１    ：壁部材
【図１】
2018204911.tif 000003
【図２】
2018204911.tif 000004
【図３】
2018204911.tif 000005
【図４】
2018204911.tif 000006